(57)【要約】
【課題】  導線端子の安定性を高め、空間が制限された上に導線端子をたくさん設置可能であるマルチＰＣカードアダプターの導線端子を提供する。
【解決手段】  はんだ付け部位１１は、下向きの凹部１２を有し両端をやや上へ向かうように形成され、その左側に下向きに延伸部位１３を形成する。延伸部位１３の末端が右に延伸して折り返し部位１５を形成し、Ｕ形を呈する第一挟み込み部位１９が形成される。折り返し部位１５の末端には下向きに連接部位２１を形成し、その末端が左に延伸して水平部位３１を形成する。水平部位３１の左端に下向きに垂直部位３３を形成し、その末端が右に延伸して反転水平部位３５を形成する。水平部位３１、垂直部位３３及び反転水平部位３５で第二挟み込み部位３９を形成する。第一挟み込み１９、第二挟み込み３９のＵ形開口は同方向で、かつ第二挟み込み部位３９の広さは第一挟み込み部位１９の挟み込む広さより大きい。
【選択図】    図１
0003101260.tif 000002
【実用新案登録請求の範囲】
【請求項１】
導電性の線体は、Ｕ形を呈する第一挟み込み部位及び第二挟み込み部位を有するように湾曲して形成され、第二挟み込み部位は末端が下向きで水平延伸し、外接段を形成し、そのうちの第一挟み込み部位、第二挟み込み部位のＵ形開口は方向が同じであり、第一挟み込み部位、第二挟み込み部の間には連接部位を形成することを特徴とするマルチＰＣカードアダプターの導線端子。
【請求項２】
第一挟み込み部位には、やや水平を呈したはんだ付け部位を有し、はんだ付け部位の左端は下向きに延伸し、下向きの延伸部位を形成し、下向きの延伸部位の末端が右に延伸し、折り返し部位を形成することで、Ｕ形を呈することを特徴とする請求項１に記載のＰＣカードアダプターの導線端子。
【請求項３】
連接部位は、折り返し部位の末端が下向きに延伸することにより形成されることを特徴とする請求項２に記載のＰＣカードアダプターの導線端子。
【請求項４】
第二挟み込み部位は、水平部位を有し、水平部位の左端が下向きに延伸し垂直部位を形成し、そして垂直部位の末端が右に延伸し、反転水平部位を形成することで、Ｕ形を呈することを特徴とする請求項１に記載のマルチＣカードアダプターの導線端子。
【請求項５】
はんだ付け部位は、下向きの凹部を有することにより両端がやや上へ向かうように形成されることを請求項１に記載のマルチＣカードアダプターの導線端子。
【請求項６】
第二挟み込み部位は、挟み込む広さが第一挟み込み部の挟み込む広さより大きいことを特徴とする請求項１に記載のマルチＣカードアダプターの導線端子。
【考案の詳細な説明】
【技術分野】
【０００１】
本考案は、マルチＰＣカードアダプターの導線端子に関する。
【背景技術】
【０００２】
従来のマルチＰＣカードアダプターは、上下の二つの回路板をＰＣカードガイドユニットの両側に貼り付けることで形成される。該二つの回路板は、各種の規格の異なるメモリカードにおける接点に接触する接触端子を有するが、その二つの回路板は止むを得ず若干の導線を介して端子の電気性を二つの回路板の後端の周縁に延伸することにより、他の外接の回路板と接続する利便を図る。
従来のマルチＰＣカードアダプターは、外接の回路板と接続する場合、まず外接の回路板上に装着され、その一つの回路板（例えば下回路板）が外接の回路板に貼り付けられるようになり、もう一つの回路板（例えば上回路板）が外接の回路板からやや離れるようになり、また上回路板は止むを得ず端子を介して電極が下向きに延伸され、外接の回路板上にガイドされる。伝統的方式は直ちに金属導線端子を下向きに延伸することである。
【考案の開示】
【考案が解決しようとする課題】
【０００３】
しかしながら、このような方式により、導線端子は上回路板から外接の電路版に垂れ下がり、導線端子の末端が固定されてないため、はんだ付けをする時に外力によりずれることがよくあり、導線端子の末端の精密度をコントロールしにくい、空間が制限され上に導線端子をたくさん設置することが不可能である。また導線を多く設置するために、ＰＣカードアダプターの上における回路板の両側に導線端子を設置するより仕方がない。しかし、両側に導線端子を設置する場合、上回路板は既に三つの側に導線端子が設置されているため、このような方式は、スズ炉によりはんだ付けをする時に、はんだ付けの不良を発生させ、かえって良品の率を下回らせる。
【０００４】
したがって本考案の主な目的は、導線端子の安定性を高め、空間が制限された上に導線端子をたくさん設置可能であるマルチＰＣカードアダプターの導線端子を提供することにある。
【０００５】
本考案のもう一つの目的は、両側に設置する必要がなく、ＰＣカードアダプターの後端に導線端子を設置するだけで、はんだ付けの便利を図ることが可能であるマルチＰＣカードアダプターの導線端子を提供することにある。
【課題を解決するための手段】
【０００６】
上述の目的を達成するために本考案の請求項１に記載のマルチＰＣカードアダプターの導線端子は、導電性の線体は、Ｕ形を呈する第一挟み込み部位及び第二挟み込み部位を有するように湾曲して形成される。第二挟み込み部位は末端が下向きで水平延伸し、外接段を形成する。そのうちの第一挟み込み部位、第二挟み込み部位のＵ形開口は方向が同じであり、第一挟み込み部位、第二挟み込み部の間には連接部位を形成する。
【考案を実施するための最良の形態】
【０００７】
以下、本考案の実施例を図面に基づいて説明する。
図１に示すように、本考案の第一実施例によるマルチＰＣカードアダプターの導線端子１０は、ＰＣカードアダプター４１上に設置される。導線端子１０は導電性の線体を折り曲げることで形成され、主にやや水平を呈するはんだ付け部位１１を有し、はんだ付け部位１１は、下向きの凹部１２を有することにより両端をやや上へ向かうように形成され、はんだ付け部位１１の左側が下向きに延伸して下向きの延伸部位１３を形成する。そして下向きの延伸部位１３の末端が右に延伸して折り返し部位１５を形成することにより、Ｕ形を呈する第一挟み込み部位１９は形成される。また折り返し部位１５の末端は下向きに延伸して連接部位２１を形成し、連接部位２１の末端が左に延伸して水平部位３１を形成する。水平部位３１の左端が下向きに延伸して垂直部位３３を形成し、そして垂直部位３３の末端が右に延伸して反転水平部位３５を形成する。そのうちの水平部位３１、垂直部位３３及び反転水平部位３５はＵ形を呈する第二挟み込み部位３９を形成する。第一挟み込み１９、第二挟み込み３９のＵ形開口は方向が同じであり、かつ第二挟み込み部位３９は挟み込む広さが第一挟み込み部位１９の挟み込む広さより大きく、反転水平部位３５は末端が下に向かい更に左に延伸して外接部位３７を形成し、外接部位３７は外接の回路板（図中未表示）に接続する。
【０００８】
図２及び図３に示すように、使用する際は、多数の本考案の実施例による導線端子１０はＰＣカードアダプター４１の本体４２の後端に設置され、そのうちの本体４２は、多種の規格のメモリカードに適用するように、回路板４３をＰＣカードガイドユニット４６の最上面を貼り付けることにより構成される。そのうちのＰＣカードガイドユニット４６は後端に長い形を呈する挟まり部４７を有し、挟まり部は多数の上嵌溝４７１、外嵌溝４７２、下嵌溝４７３を有する。導線端子１０を本体４２の後端に設置する場合、導線端子１０の第一挟み込み部位１９を回路板４３に向かい合わせ、第二挟み込み部位３９をＰＣカードガイドユニット４６の挟まり部４７を向かい合わせ、そして導線端子１０を挿入する。図３及び図４に示すように、第一挟み込み部位１９により回路板４７が挟み込まれ、第二挟み込み部位３９により挟まり部４７が挟み込まれると同時に、水平部位３１が上嵌溝４７１に嵌合され、垂直部位３３が外嵌溝４７２に嵌合され、反転水平部位３５が下嵌溝４７３に嵌合される。これにより、挟み込みが可能である他に、上嵌溝による位置制限と固定の効果を加えれば、導線端子１０は二つの挟み込み部位１９、挟み込み部位３９により回路板４３及び本体４２上に挟み込まれ、最下底端の外接部位３７は第二挟み込み部位３９により固定され、位置決めの安定が得られ、外力の作用による動揺が発生しにくくなる。したがって、位置決めの効果が優れ、従来のもののようにずれる問題が発生しにくいとともに、精密度が高まり、空間が制限された上に多くの導線端子１０を設置可能である。
【０００９】
図５に示すように、ＰＣカードガイドユニット４６’の挟まり部４７’の表面に嵌溝が設置されず、平らである場合、第二挟み込み部位３９により挟まり部位４７’を挟み込むには、挟み込みの効果を利用して固定し、導線端子１０を本体４２’上にしっかりと位置決めする。
【００１０】
図６に示すように、ＰＣカードガイドユニット４６’’の挟まり部４７’’が対応する外嵌溝４７２’’を有する場合、導線端子１０の第二挟み込み部位３９により挟まり部４７’’を挟み込むには、垂直部位３３を外嵌溝４７２’’に嵌合することで挟み込むほかに、位置制限と固定の効果をも提供する。
【００１１】
図７に示すように、ＰＣカードガイドユニット４６’’’の挟まり部４７’’’が対応する上、下嵌溝４７１’’’ 、４７３’’’を有する場合、導線端子１０の第二挟み込み部位３９は、挟まり部４７’’’を挟み込むとそれらの嵌溝４７１’’’ 、４７３’’’内に嵌合され、そのうちの水平部位３１は上嵌溝４７１’’’に嵌合され 、反転水平部位３５は下嵌溝４７３’’’に嵌合されることで、挟み込むほかに、位置制限と固定の効果をも提供する。
【００１２】
上述の構造により、本考案の長所は次の通りである。
導線端子を固定可能である。
挟み込み及び嵌合の二重の固定効果を受ける導線端子は、安定性が極めて高く、ずれたり、勝手に移動したりすることが殆ど発生しないため、精密度の極めて高い需要に満足し、空間が制限された上に導線端子をたくさん設置することが可能である。
はんだ付けに便利である。
空間が制限された上にたくさんの導線端子を精度高く設置可能である特性により、本考案は、両側に設置する必要がなく、ＰＣカードアダプター本体の後端に導線端子を設置するだけで、はんだ付けの便利を図ることが可能である。
【図面の簡単な説明】
【００１３】
【図１】本考案の第一実施例によるマルチＰＣカードアダプターの導線端子を示す側面図である。
【図２】本考案の第一実施例によるマルチＰＣカードアダプターの導線端子の動作を示す図である。
【図３】本考案の第一実施例によるマルチＰＣカードアダプターの導線端子の使用状態を示す参考図である。
【図４】図３における４−４破線の局部断面図である。
【図５】本考案の第一実施例によるマルチＰＣカードアダプターの導線端子のもう一つの動作を示す図である。
【図６】本考案の第一実施例によるマルチＰＣカードアダプターの導線端子のまたもう一つの動作を示す図である。
【図７】本考案の第一実施例によるマルチＰＣカードアダプターの導線端子のまた別の動作を示す図である。
【符号の説明】
【００１４】
１０  導線端子、１１  はんだ付け部位、１２  下向きの凹部、１３  下向きの延伸部位、１５  折り返し部位、１９  第一挟み込み部位、２１  連接部位、３１  水平部位、３３  垂直部位、３５  反転水平部位、３７  外接部位、３９  第二挟み込み部位、４１  ＰＣカードアダプター、４２  本体、４３  回路板、４６  ＰＣカードガイドユニット、４７  挟まり部、４７１  上嵌溝、４７２  外嵌溝、４７３  下嵌溝
【図１】
0003101260.tif 000003
【図２】
0003101260.tif 000004
【図３】
0003101260.tif 000005
【図４】
0003101260.tif 000006
【図５】
0003101260.tif 000007
【図６】
0003101260.tif 000008
【図７】
0003101260.tif 000009